(57)【要約】      （修正有）【課題】海藻の着生・生長・周辺への種の拡散より、食害が少ないけど藻場が回復しない箇所において、藻場回復を図るための藻場造成装置を提供する。【解決手段】立体型カートリッジ２０１とカートリッジ受け具１０２とを備え、立体型カートリッジ２０１は、板状をなす基部２０２と、基部２０２上に立ち上げられた網の目状面からなる第１海藻着生部２１３とを有し、カートリッジ受け具１０２は、海底に配置される被取付物体の外面に設置される台部１０３と、台部１０３の一辺に設けられ、立体型カートリッジ２０１をスライドさせて導入するための導入部と、導入部から導入された立体型カートリッジ２０１の基部２０２の縁領域をスライド自在に保持する保持部１１１とを有する藻場造成装置。【選択図】図１
2014226075.tif 000002
【特許請求の範囲】
【請求項１】
立体型カートリッジとカートリッジ受け具とを備え、
前記立体型カートリッジは、
板状をなす基部と、
基部上に立ち上げられた網の目状面からなる海藻着生部と、
を有し、
前記カートリッジ受け具は、
海底に配置される被取付物体の外面に設置される台部と、
前記台部の一辺に設けられ、前記立体型カートリッジをスライドさせて導入するための導入部と、
前記導入部から導入された前記立体型カートリッジの基部の縁領域をスライド自在に保持する保持部とを有する、
藻場造成装置。
【請求項２】
基部上に立ち上げられた網の目状面からなる海藻着生部を、基部上の空間周囲に設ける、
請求項１記載の藻場造成装置。
【請求項３】
基部上に立ち上げられた網の目状面からなる海藻着生部で、基部上の空間周囲を囲い、空間の上部開口部を、板状体で覆う、
請求項１または２記載の藻場造成装置。
【請求項４】
基部上に立ち上げられた網の目状面からなる第１海藻着生部で、基部上の空間周囲を囲い、空間の上部開口部を、板状体で覆い、板状体上に立ち上げられた網の目状面からなる第２海藻着生部を有する、
請求項３記載の藻場造成装置。
【請求項５】
板状体上に立ち上げられた網の目状面からなる第２海藻着生部で、板状体上の空間周囲を囲う、請求項４記載の藻場造成装置。
【請求項６】
板状体が海藻着生用突起である、
請求項３から５のいずれか一に記載の藻場造成装置。
【請求項７】
板状をなす基部と、
基部上に立ち上げられた網の目状面からなる海藻着生部と、
を有し、カートリッジ受け具に保持される、
立体型カートリッジ。
【請求項８】
海底に配置される被取付物体の外面に設置される台部と、台部と被取付物体との間に形成される空間の側面開口部の一を、立ち上げられた網の目状面で覆い、
立体型カートリッジを導入される、
カートリッジ受け具。
【請求項９】
海底に配置される被取付物体の外面に設置され、被取付物体との間に空間が形成されるとともに、空間の開口部の一を、立ち上げられた網の目状面で覆われる台部と、
前記台部の一辺に設けられ、前記立体型カートリッジをスライドさせて導入するための導入部と、
前記導入部から導入された前記立体型カートリッジの基部の縁領域をスライド自在に保持する保持部と、
を備えるカートリッジ受け具。
【発明の詳細な説明】
【技術分野】
【０００１】
本発明は、磯焼けの対策として、ブロックにより藻場を新しく造成しようとする場合や、過去において海藻を繁茂させることを期待して既に海中に設置されていたが何らかの理由で藻場造成機能が失われたブロックに対して、藻場造成機能を復活させることを目的に再び藻場を造成させる場合に適用される藻場造成装置を構成する立体型カートリッジ及びカートリッジ受け具に関する。
更に、海底に設置されたブロックを対象に、藻場を造成しようとする海域の海底に設置され、藻場を造成しようとする海域の自然環境特性に適した海藻を繁茂させることができ、取り扱いが容易で、底生生物の定着も期待できる藻場造成装置、並びに、この藻場造成装置を構成する立体型カートリッジ及びカートリッジ受け具に関する。
【背景技術】
【０００２】
海底に広がる藻場は、コンブ、アラメ、カジメ、クロメ、ワカメ、アカモク、ヒジキ、ホンダワラ、テングサ等の海底に繁茂する海藻が群生することにより形成される。
藻場は、魚介類にとって格好の餌場所、隠れ場、産卵場、仔稚の生育場所となる。また、藻場は、海中の栄養塩類（窒素やリン等）を吸収したり、光合成をして海中の二酸化炭素を酸素に変換したりして、海水を浄化する。さらに、藻場は、波浪を軽減する。加えて、藻場は、海中を泳ぐ魚等の生物のみならず、底生生物（ベントス）の格好の住処となる。
【０００３】
ところが、近年、海藻を食べて育つ食害生物（例えば、ウニ、ブダイ、アイゴ、イスズミ、サザエ、小型巻貝、アメフラシ等）が、藻場を形成する海藻を食べ尽くし、藻場が消滅したり縮小したりしていることが報告されている。
この現象は、“磯焼け”と呼ばれる。磯焼けは、食害生物による食害のみならず、光不足、高水温、栄養塩不足又は栄養塩過多等によっても生じる。磯焼けが生じると、藻場に魚介類が集まりにくくなる。その結果、漁獲量が低下したり、藻場での魚介類の育成に不都合が生じたりする。
【０００４】
磯焼けの対策のひとつとしては、食害生物を藻場から除去したり、藻場を網で囲う等により食害生物から藻場を防御したりすることが重要である。また、以前は自然の藻場であった箇所に何らかの理由で磯焼け現象が発生し、そのため藻場が喪失している箇所が数多くある。そのような箇所を再び藻場として回復することが極めて重要である。
【０００５】
また、藻場による上記のような有利な効果に着目し、近年、そもそも藻場が形成されていない海域に、新たな藻場を造成しようという動きもある。
【０００６】
そこで、発明者等は、特開２０１２−１０６５５号公報記載の「藻場造成装置、カートリッジ及びカートリッジ受け具」を提案した。
同発明は、「藻場を造成しようとする海域の自然環境特性に適した海藻を繁茂させることができ、取り扱いが容易で、底生生物の定着も期待できる藻場造成装置を提供する。」ものであって、「カートリッジ１０３の基部１１０の一方の面には、海藻ＳＷが着生する着生基材１１１が配置される。カートリッジ受け具１０２は、台部と保持部１０５とを備える。台部は、海底ＢＳに配置されるブロックの外面に設置され、底生生物が住み着くための空間ＳＰが設けられる。保持部１０５は、台部の第１の面１０７ａ側に設けられる。保持部１０５には、カートリッジ受け具１０２をスライドさせて導入するための導入部１１５が形成される。保持部１０５は、台部から離反する向きに着生基材１１１を向けて導入部１１５から導入されて自重で落とし込まれたカートリッジ１０３の基部１１０の縁領域１１４を、スライド自在に保持する。」からなる。
【先行技術文献】
【特許文献】
【０００７】
【特許文献１】特開２０１２−１０６５５号公報
【特許文献２】特開２０１０−１１０２４５号公報
【発明の概要】
【発明が解決しようとする課題】
【０００８】
特許文献１記載の「藻場造成装置、カートリッジ及びカートリッジ受け具」では、カートリッジは平面状となっている。
ところで、発明者らの調査において次のような事柄が発生した。すなわち、特許文献１記載の平面状のカートリッジを大型海藻の遊走子もしくは幼胚の放出時期にあわせて天然の藻場に設置して幼体を着生させた。その後、平面状のカートリッジを人工リーフへ移設後においても、大型海藻は健全に生育したが、台風などの高波浪による攪乱が原因によると推測される磯焼けにより、アラメは衰退した。
【０００９】
特許文献２記載の「藻場造成方法及びこれに用いる海藻種苗取り付け器具」は、「藻場造成の際に藻礁への海藻種苗の移植を簡便に行うことができるようにする。」課題を解決するため、「海藻種苗４を着生した種苗チップ５を取り付け可能にしたホルダ部材１３と、藻礁１に取り付け可能にしたベース部材９とからなり、ベース部材に対してホルダ部材を着脱可能に取り付け得るようにした。」ものである。
しかし、特許文献２記載の「藻場造成方法及びこれに用いる海藻種苗取り付け器具」は、器具自体は高さ方向の厚みはあるが、アラメ等の海藻を鉛直に着生するものではない。
【００１０】
他方、発明者らの調査において、平面型カートリッジに比較してケルプノブを使用した立体型カートリッジの方がアラメ幼体の着生効果が高いこと、ケルプノブを基部より高くした箇所に取り付けた場合にアラメの着生効果が高いこと、ケルプノブの上下面に鉄金網を鉛直方向に配置することが海藻の着生機会を増加させることが窺われた。また、鉄金網を鉛直方向に配置し、その鉄金網に付着したアラメは、付着器の固着力が増大し、高波浪に対しても一定の耐久力を得たと推測された。さらに、移設後カートリッジ周辺でのアラメ新規加入固体の確認、カートリッジ周辺への種の拡散の確認より、食害が少ないけど藻場が回復しない箇所において、本藻場造成装置の集合体を核藻場とする藻場回復手法の有効性が窺われた。
本発明の目的は、これらの知見に基づくものであり、海藻の着生・生長・周辺への種の拡散より、食害が少ないけど藻場が回復しない箇所において、藻場回復を図るための藻場造成装置、立体型カートリッジ及びカートリッジ受け具を提供するものである。
【課題を解決するための手段】
【００１１】
本発明の、藻場造成装置は、
立体型カートリッジとカートリッジ受け具とを備え、
前記立体型カートリッジは、
板状をなす基部と、
基部上に立ち上げられた網の目状面からなる海藻着生部と、
を有し、
前記カートリッジ受け具は、
海底に配置される被取付物体の外面に設置される台部と、
前記台部の一辺に設けられ、前記立体型カートリッジをスライドさせて導入するための導入部と、
前記導入部から導入された前記立体型カートリッジの基部の縁領域をスライド自在に保持する保持部と、
を有する。
【００１２】
この発明の藻場造成装置は、更に、
基部上に立ち上げられた網の目状面からなる海藻着生部を、基部上の空間周囲に設け、
を有する。
【００１３】
この発明の藻場造成装置は、更に、
基部上に立ち上げられた網の目状面からなる海藻着生部で、基部上の空間周囲を囲い、空間の上部開口部を、板状体で覆う、
を有する。
【００１４】
この発明の藻場造成装置は、更に、
板状体が、ケルプノブである、
を有する。
【００１５】
この発明の藻場造成装置は、更に、
基部上に立ち上げられた網の目状面からなる第１海藻着生部で、基部上の空間周囲を囲い、空間の上部開口部を、板状体で覆い、板状体上に立ち上げられた網の目状面からなる第２海藻着生部、
を有する。
【００１６】
この発明の藻場造成装置は、更に、
基部上に立ち上げられた網の目状面からなる第１海藻着生部で、基部上の空間周囲を囲い、空間の上部開口部を、板状体で覆い、板状体上に立ち上げられた網の目状面からなる第２海藻着生部で、板状体上の空間周囲を囲う、
を有する。
【００１７】
この発明の藻場造成装置は、更に、
板状体が海藻着生用突起である。
【００１８】
更に、この発明に係る立体型カートリッジは、
板状をなす基部と、
基部上に立ち上げられた網の目状面からなる海藻着生部と、
を有し、カートリッジ受け具に保持される、
を備える。
【００１９】
更に、この発明の前記カートリッジ受け具は、
海底に配置される被取付物体の外面に設置される台部と、台部と被取付物体との間に形成される空間の側面開口部の一を、立ち上げられた網の目状面で覆った、
を有する。
【００２０】
更に、この発明に係るカートリッジ受け具は、
前記カートリッジ受け具は、
海底に配置される被取付物体の外面に設置され、被取付物体との間に空間が形成されるとともに、空間の開口部の一を、立ち上げられた網の目状面で覆われる台部と、
前記台部の一辺に設けられ、前記立体型カートリッジをスライドさせて導入するための導入部と、
前記導入部から導入された前記立体型カートリッジの基部の縁領域をスライド自在に保持する保持部と、
を備える。
【発明の効果】
【００２１】
本発明によれば、立体型カートリッジが海底に配置される被取付物体の外面に設置されると、基部上に立ち上げられた網の目状面からなる第1海藻着生部、第2海藻着生部および海藻着生用突起（ケルプノブ）等に、海藻が着生する。
【図面の簡単な説明】
【００２２】
【図１】この発明の実施の形態に係る実施例の藻場造成装置の斜視図である。
【図２】この発明の実施の形態に係る実施例の藻場造成装置における、立体型カートリッジをカートリッジ受け具への取付途中状態の斜視図である。
【図３】この発明の実施の形態に係る実施例の藻場造成装置におけるカートリッジ受け具の斜視図である。
【図４】この発明の実施の形態に係る実施例の藻場造成装置における立体型カートリッジの斜視図である。
【図５】この発明の実施の形態に係る実施例の藻場造成装置における立体型カートリッジの斜視図である。
【図６】この発明の実施の形態に係る実施例の藻場造成装置における、立体型カートリッジをカートリッジ受け具への取付途中状態の他の斜視図である。
【図７】この発明の実施の形態に係る実施例の藻場造成装置の使用状態の斜視図である。
【発明を実施するための形態】
【００２３】
実施の一形態を、図１ないし図７に基づいて説明する。
図７は、一例としてブロック３０１（被取付物体）に固定された藻場造成装置１０１の斜視図である。本実施例は、ブロック３０１以外にも例えば岸壁下部等にも取り付けることが可能である。ブロック３０１は、消波等を目的として、海底ＢＳに配置されるものである。ブロック３０１は、直方体形状の基礎部３０２を有する。基礎部３０２の中央には、上下方向に貫通する貫通部３０３が設けられる。基礎部３０２の四隅のそれぞれから、上下に延びる八角柱状の脚部３０４が延びる。
脚部３０４は、基礎部３０２の上面３０２ａ及び下面（図示せず）よりも上下方向に突出する。ブロック３０１は、例えば、コンクリートを用いて形成される。そして、ブロック３０１は、藻場を造成しようとする所望の海域に、各脚部３０４の下方の端面を海底ＢＳに接しさせて、上面３０２ａが略水平に向くよう配置される。ブロック３０１は、その自重によって、海流に押されても動かない。
【００２４】
藻場造成装置１０１は、所望の海域に藻場を造成するためのものである。本実施の形態の藻場造成装置１０１は、平面視で略矩形形状に見える立体形状をなしている。２０１は、立体型カートリッジである。
この藻場造成装置１０１は、ブロック３０１の上面３０２ａに平置きされて、あるいは、基礎部３０２の側面に固定取付された状態で用いられる。
藻場造成装置１０１からは、藻場を構成する海藻ＳＷが生育する。海藻ＳＷは、海中ではためいて、魚介類にとって格好の餌場所、隠れ場、産卵場、仔稚の生育場所となる。海藻ＳＷは、その生育によって、海中の栄養塩類（窒素やリン等）を吸収する。さらに、海藻ＳＷは、海面から降り注ぐ太陽光を受けて光合成をし、海中の二酸化炭素を酸素に変換して、海水の浄化に寄与する。また、海藻ＳＷは、ブロック３０１とともに、波浪の軽減に寄与する。
さらに、藻場造成装置１０１で生長した海藻は、周辺へも拡散し、より大きな海藻群落を形成することが期待される。
【００２５】
図１は、藻場造成装置１０１の斜視図である。
藻場造成装置１０１は、カートリッジ受け具１０２と、カートリッジ受け具１０２に着脱自在に取り付けられる立体型カートリッジ２０１とを備える。
【００２６】
カートリッジ受け具１０２は、台部１０３と、保持部１１１とを備える。台部１０３は、金属製略矩形板状体からなる。台部１０３の立体型カートリッジ２０１の挿入端側の手前側、及び奥側には、それぞれ板状体からなる脚部１０４、１０５が立脚され台部１０３を支持する。奥側の脚部１０４は、手前側の脚部１０５より丈が短く設けられており、台部１０３の面は、奥側に向かって傾斜する。
保持部１１１は、図２、図３に図示されるように略Ｌ字状の板状体からなり、台部１０３の両側面に台部１０３表面から浮かばせて取り付けられる。台部１０３と保持部１１１との間隔は、台部１０３表面側部先端と手前側とに溶接して固定されるスペーサー１１２を介することにより取る。
保持部１１１においては、両方の保持部１１１の間隔は先端側の方が手前側より狭くなる。
【００２７】
保持部１１１の手前側は、図２、図３に図示されるように、中間部よりも切り込まれており、両保持部１１１、１１１間の開口は大きくなり立体型カートリッジ２０１を挿入するための導入部１１４を構成する。そのため、立体型カートリッジ２０１を台部１０３に挿入し易くなる。
両保持部１１１、１１１の手前側には、ナット１１３が溶接して固定される。ナット１１３は、把手部２０３との間に番線等で結んで、立体型カートリッジ２０１をカートリッジ受け具１０２に固定するときに使用される。激浪のため、立体型カートリッジ２０１がカートリッジ受け具１０２から流出するのを防ぐのに有効である。
【００２８】
カートリッジ受け具１０２の、台部１０３における脚部１０４と脚部１０５との間の側面の内、一方の側面１０６は、図１に図示されるように、網目状の立ち上げられた面で覆われる。一方の側面１０６は、網の目状からなるため、海水の流通は自在である。
他方側の側面は、開口されたままである。台部１０３下面と脚部１０４と脚部１０５と一方の側面１０６とで、底生生物が住み着くための空間ＳＰ１が形成され、網の目状からなる一方の側面１０６で、海藻着生部を構成する。脚部１０４と脚部１０５と一方の側面１０６および開口されたままの他方の側面とで、洞窟のように一方は塞がれており、魚が住みやすくなる。空間ＳＰ１は、魚類等底生生物の生息空間、産卵空間として期待される。
一方の面１０６に対向する他方の側面は網の目で被覆することなく、開口する。そのため海水はより自由に流通する。
網目状の立ち上げられた面で覆われる一方の側面１０６の下部は、図１に図示されるように、設置面との間は僅かに隙間を空けてあり、設置面まで網目は設けていない。フジツボ等の不陸対策の為である。
【００２９】
立体型カートリッジ２０１において、２０２は基部である。基部２０２は金属製板状体からなる。２０３は、把手部である。把手部２０３は、基部２０２の手前側に取り付けられる。
２１１は、支柱である。支柱２１１は、基部２０２に平面視四角形を形成する位置からそれぞれ立設させる。４本の支柱２１１の間は、網目状の立ち上げられた面で覆われ、それぞれ支柱間側面２１２を構成する。
周囲４面は、周囲４面の支柱間側面２１２で覆われ、空間ＳＰ２が形成される。支柱間側面２１２で第１海藻着生部２１３を構成する。周囲３面のみを覆ってもよい。
支柱間側面２１２の網目状面の立上状態は鉛直状が最も望ましいが、海藻を着生させるには、厳密な鉛直状態でなくとも立ち上がり状であればよい。
【００３０】
２２１は、海藻着生用突起（ケルプノブ）である。海藻着生用突起２２１は、逆方錐形状からなり、海藻ＳＷが着生する素材が用いられる。全体としては板状体からなり素材の一例としては、モルタルである。海藻着生用突起２２１は、第１海藻着生部２１３で周囲を囲った空間の上部開口を閉じる。
海藻着生用突起２２１は、４本の支柱２１１で支持されるので、支持は補強される。
【００３１】
２３１は、第２海藻着生部である。第２海藻着生部２３１は、上面を開口し、底面と側面４面は、網目状で、全体として籠状からなる。第２海藻着生部２３１の４面の側面２３４は網目状の立ち上げられた面で覆われ、第２海藻着生部２３１は、海藻着生用突起２２１上に設置される。第２海藻着生部２３１の四隅は支柱状に形成される。側面２３４の網目状面の立上状態は鉛直状が最も望ましいが、海藻を着生させるには、厳密な鉛直状態でなくとも立ち上がり状であればよい。面が傾斜していてもよい。
上部開口した第２海藻着生部２３１の内部で空間ＳＰ３を形成する。周囲４面の側面２３４で海藻着生部を構成する。
２３２は、取付ボルトである。取付ボルト２３２は、海藻着生用突起上籠２３１を海藻着生用突起２２１に取り付ける。
【００３２】
海藻着生用突起上籠２３１は、取付ボルト２３２により取り付けられているので、着脱が容易である。そのため、海藻着生用突起上籠２３１にあらかじめ地上で海藻の種付けを行い、その後、既に海中に設置された、立体型カートリッジ２０１の海藻着生用突起２２１に取り付けることも可能となる。
２４１は、押し出し用金具である。押し出し用金具２４１は、立体型カートリッジ２０１の把手部２０３取付辺と空間ＳＰ２を挟んだ反対側に、空間ＳＰ２の少し間隔をあけた前に、基部２０２から直立させて設置する。押し出し用金具２４１は、平面視コ字状からなり、開口部は空間ＳＰ２に向けて設置する。押し出し用金具２４１は、立体型カートリッジ２０１とカートリッジ受け具１０２の間に、例えばフジツボ等の付着生物のために脱着が困難な場合に、後ろから金槌等でたたき出すためのものである。
【００３３】
立体型カートリッジ２０１の作成方法について説明する。
基部２０２の中心からは、鉛直に取付ボルト２３２が突設される。海藻着生用突起２２１の中心、第２海藻着生部２３１の中心には、それぞれ貫通孔が設けられる。海藻着生用突起２２１、第２海藻着生部２３１にそれぞれ設けられた貫通孔を、取付ボルト２３２は、貫通して、第２海藻着生部２３１に露出した先端は、図５に図示されるようにナット２３３で締め付けて固定される。
【００３４】
次に、立体型カートリッジ２０１の、カートリッジ受け具１０２への装着および離脱作業を説明する。
立体型カートリッジ２０１は、図２に示すように、把手部２０３を手前側にして、把手部２０３の設けられた辺の対向辺を先端側として、奥側に向かった傾斜する台部１０３上から、左右の保持部１１１の間の空間部に、立体型カートリッジ２０１の基部２０２を差し込んで導入する。
立体型カートリッジ２０１のカートリッジ受け具１０２への装着の為の導入は、保持部１１１、保持部１１１との間にガイドされ、基部２０２先端がスペーサー１１２に阻止されるまで、奥側に向かった傾斜する台部１０３にそって、自重で落ち込む。ここにおいて、スペーサー１１２はストッパーの作用を行い、立体型カートリッジ２０１の基部２０２先端が、スペーサー１１２に接触して停止する。
【００３５】
発明者らの調査では、カートリッジ受け具１０２と立体型カートリッジ２０１が、フジツボ等の固着等により固定され離れがたくなった事例があった。
図６に図示されるように、両方の保持部１１１の間は間隔を空けて開口しており、かつ、スペーサー１１２はストッパーの作用を有し、立体型カートリッジ２０１の基部２０２先端が、スペーサー１１２に接触して停止するため、押し出し用金具２４１は、両方の保持部１１１の間に両方の保持部１１１に前方を遮られることなく停止する。
そのため、カートリッジ受け具１０２と立体型カートリッジ２０１が、フジツボ等の固着等により固定され離れがたくなったときは、押し出し用金具２４１を金槌で叩いてその衝撃により両者を切り離す。
空間ＳＰ２の少し間隔をあけた前に、基部２０２から直立させて設置されているので、金槌で叩いたときでも第１海藻着生部２１３に触れることはない。
何らかの理由で、立体型カートリッジ２０１をカートリッジ受け具１０２より離脱させることが必要になった場合には、番線等を切断しておこなう。
【００３６】
次に、藻場造成装置１０１の使用方法について説明する。
まず、立体型カートリッジ２０１の第１海藻着生部２１３の４面の側面２１２および第２海藻着生部２３１の４面の側面２３４及び海藻着生用突起（ケルプノブ）２２１に海藻ＳＷを着生させる。これは、これから藻場を造成しようとする海域の近傍に形成されている天然の藻場内に、まだ海藻ＳＷが着生していない状態の立体型カートリッジ２０１を大型海藻の遊走子もしくは幼胚の放出時期に合わせて設置し、数カ月間、あるいは、それ以上の期間放置しておくことにより実現される。
このとき、立体型カートリッジ２０１は、藻場内のみならず、この藻場の近傍に配置されてもよい。これは、藻場を構成する海藻より発生する遊走子もしくは幼胚が、海流により藻場の近傍まで広がることが考えられるからである。一例として、立体型カートリッジ２０１は、海藻ＳＷの遊走子もしくは幼胚の放出時期にあたる冬にかけて、藻場及びその近傍に放置される。
【００３７】
第１海藻着生部２１３の４面の側面２１２および第２海藻着生部２３１の４面の側面２３４、海藻着生用突起（ケルプノブ）２２１に着生した海藻ＳＷは、時間の経過とともに生育し延びる。放置する期間が短ければ、立体型カートリッジ２０１から延びる海藻ＳＷの背丈は短く、放置する期間が長くなるにつれて海藻ＳＷの背丈は長くなって海藻ＳＷそれ自身が新たな遊走子もしくは幼胚を放出する、いわゆる「母藻」となる。
【００３８】
図７に図示されるように、ブロック３０１は、これから藻場を造成しようとする海域に沈められ、海底ＢＳに配置される。そして、作業者は、この海域に潜って、立体型カートリッジ２０１の第１海藻着生部２１３の４面の側面２１２および第２海藻着生部２３１の４面の側面２３４、海藻着生用突起（ケルプノブ）２２１に海藻ＳＷやその幼体が着生した状態の立体型カートリッジ２０１を、導入部１１４からスライドさせて保持部１１１に保持させて、カートリッジ受け具１０２に装着する。
その後把手部２０３とナット１１３を番線等で結ぶことで立体型カートリッジが激浪等のため流失しないように固定する。
【００３９】
本実施の形態では、立体型カートリッジ２０１をこのようにカートリッジ受け具１０２に容易に装着でき、藻場造成装置１０１の取り扱いが容易である。
そして、藻場を造成しようとする海域の近傍に生息している海藻ＳＷやその幼体を立体型カートリッジ２０１に着生させてカートリッジ受け具１０２に装着でき、この海域の自然環境特性に適した海藻ＳＷを繁茂させることができる。さらに、立体型カートリッジ２０１はカートリッジ受け具１０２に落としこんで装着されるため、立体型カートリッジ２０１で生育した海藻ＳＷが枯れたり食害生物に食べ尽くされたりした場合に、容易に交換できる。
加えて、カートリッジ受け具１０２の台部１０３には空間ＳＰ１が設けられているため、藻場造成装置１０１を岸壁下部等に設置すると、この海域に生息する底生生物が空間ＳＰ１の内部に定着することも期待できる。
【００４０】
本実施の形態でも、作業者は、立体型カートリッジ２０１の把手部２０３を持って、この立体型カートリッジ２０１をカートリッジ受け具１０２に装着する。本実施の形態の藻場造成装置１０１でも、藻場を造成しようとする海域の自然環境特性に適した海藻ＳＷを繁茂させることができ、取り扱いが容易で、底生生物の定着も期待できる。
【００４１】
この発明の実施例では、立体型カートリッジ２０１が使用される。
モルタル製の海藻着生用突起（ケルプノブ）２２１は、それ自体でコンブ目藻類の幼体の着生効果が高く、階段状に複数段配置してよい。その場合は空隙ＳＰを更に増やすことが可能となる。
【００４２】
移設は、立体型カートリッジ２０１をカートリッジ受け具１０２から抜いて、移設してはめるだけで、簡単である。食害、水温上昇、台風のうねり、荒波浪などによる磯焼けして、海藻が衰退した箇所に天然の藻場に予め設置されたブロックにストックされている大型海藻の着生した立体型カートリッジ２０１を移設することで、磯焼けしている地区の回復を期待することができる。
海藻着生用突起（ケルプノブ）２２１上面及び下面の鉛直方向に鉄金網を配置し、海藻の着生機会を増加させる。網の目状の穴は、コンブ目類の付着器が巻き付いて固着力が増大することを期待したものである。鉄金網を鉛直方向に取り付けた場合、鉄金網に着生したアラメは付着器の固着力が増大し、高波浪に対しても一定の耐久性を得る可能性がある。
【００４３】
鉛直方向に配置した鉄金網は、コンブ目藻類の着生・生残に有効である。この実施例に係る立体型カートリッジでは、海藻着生用突起（ケルプノブ）２２１を基部２０２から、ある程度の高さを確保した状態で取り付けた、高床式形状の海藻着生用突起（ケルプノブ）２２１でアラメの着生個体数が多い傾向が認められた。
本実施例に係る藻場造成装置は、ブロックのように安定性が高い構造物にしっかり取り付けることが必要である。
【符号の説明】
【００４４】
１０１    藻場造成装置
１０２    カートリッジ受け具
１０３    台部
１１１    保持部
１１４    導入部
２０１    立体型カートリッジ
２０２    基部
２１２    支柱間側面
２１３    第１海藻着生部
２２１    海藻着生用突起（ケルプノブ）
２３１    第２海藻着生部
ＳＰ１    空間
ＳＰ２    空間
ＳＰ３    空間
【図１】
2014226075.tif 000003
【図２】
2014226075.tif 000004
【図３】
2014226075.tif 000005
【図４】
2014226075.tif 000006
【図５】
2014226075.tif 000007
【図６】
2014226075.tif 000008
【図７】
2014226075.tif 000009